(57)【特許請求の範囲】
【請求項１】
数珠繋ぎに接続され、車両の通行状況を撮像する複数の監視カメラと、その複数の監視カメラに接続されたセンタ装置とからなる通行車両監視システムであって、
各監視カメラは、
通常撮影用の複数の第１の撮像部と、
赤外撮影用の複数の第２の撮像部と、
前記第１の撮像部において得られた複数の画像から第１の距離画像のデータを生成すると共に、前記第２の撮像部において得られた複数の画像から第２の距離画像のデータを生成する距離画像生成部と、
前記第１の距離画像に基づく第１の監視処理を実行するか又は前記第１及び第２の距離画像に基づく前記第１の監視処理を実行する第１の監視処理部と、
記憶部と、
前記第１及び第２の距離画像に基づいて認識された車両の識別情報を生成して、その識別情報と、その認識された車両についての時刻情報とを含む情報を前記記憶部に記録する記録処理部と、
前記第１及び第２の距離画像に基づいて、前記第１の監視処理とは別の第２の監視処理を実行する第２の監視処理部と、
前記第１の距離画像に基づく前記第１の監視処理によって異常が検出されると、前記第１及び第２の距離画像に基づく前記第１の監視処理を実行させ、前記第１の監視処理部が検出した異常の内容に基づいて、前記第２の監視処理部が実行する処理を選択する判定部と、
を有することを特徴とする通行車両監視システム。
【請求項２】
前記判定部は、前記第１の監視処理部が検出した火災発生位置の情報を前記センタ装置に送信することを特徴とする請求項１に記載の通行車両監視システム。
【請求項３】
前記第１の監視処理部は、停止物体の検出、あるいは前記車両の位置の変化である軌跡が所定の軌跡との不一致の検出を行うことを特徴とする請求項１又は２に記載の通行車両監視システム。
【請求項４】
前記第１の監視処理部は、停止物体の検出を行い、
前記第２の監視処理部は、前記停止物体が、車両であるか人であるかを判定することを特徴とする請求項１又は２に記載の通行車両監視システム。
【請求項５】
前記第２の監視処理部は、前記停止物体が前記車両である場合は、前記車両の破損状況、位置、向き、大きさの少なくとも１つを検出し、前記停止物体が前記人である場合は、前記人の位置、姿勢、立っているのか横になっているのか、の少なくとも１つを検出することを特徴とする請求項４に記載の通行車両監視システム。
【請求項６】
前記監視カメラは、前記第１及び第２の撮像部からの画像を合成する合成部を有することを特徴とする請求項１に記載の通行車両監視システム。
【請求項７】
前記合成部は、第１及び第２の撮像部の撮像範囲のずれを補正する撮像範囲補正部を有することを特徴とする請求項６に記載の通行車両監視システム。
【請求項８】
通常撮影用の複数の第１の撮像部と、
赤外撮影用の複数の第２の撮像部と、
前記第１の撮像部において得られた複数の画像から第１の距離画像のデータを生成すると共に、前記第２の撮像部において得られた複数の画像から第２の距離画像のデータを生成する距離画像生成部と、
前記第１の距離画像に基づく第１の監視処理を実行するか又は前記第１及び第２の距離画像に基づく前記第１の監視処理を実行する第１の監視処理部と、
記憶部と、
前記第１及び第２の距離画像に基づいて認識された車両の識別情報を生成して、その識別情報と、その認識された車両についての時刻情報とを含む情報を前記記憶部に記録する記録処理部と、
前記第１及び第２の距離画像に基づいて、前記第１の監視処理とは別の第２の監視処理を実行する第２の監視処理部と、
前記記憶部に記憶された前記情報を送信するための、デイジーチェーン接続用通信インターフェース部と、
前記第１の距離画像に基づく前記第１の監視処理によって異常が検出されると、前記第１及び第２の距離画像に基づく前記第１の監視処理を実行させ、前記第１の監視処理部が検出した異常の内容に基づいて、前記第２の監視処理部が実行する処理を選択する判定部と、
を有することを特徴とする車両用監視カメラ。
【発明の詳細な説明】
【技術分野】
【０００１】
本発明は、通行車両監視システム及び車両用監視カメラに関する。
【背景技術】
【０００２】
従来より、道路上を通行する車両の事故防止等のために車両監視システムが広く実用化されている。車両監視システムには、車両を撮影した画像中の車両のナンバープレートから車両番号を認識するもの、運転席画像を記録するもの、等がある。
【０００３】
また、特にトンネル内で発生する所定の事象を監視し、事故の発生を未然に防止するために情報掲示板にメッセージを表示し、さらに毒物を運搬する車両を検出するトンネル内監視システムも提案されている（例えば、特許文献１参照）。
【先行技術文献】
【特許文献】
【０００４】
【特許文献１】特開２００３−２７２０８６号公報
【発明の概要】
【発明が解決しようとする課題】
【０００５】
しかし、従来のいずれの監視装置あるいは監視システムも、撮影画像から対象物の立体的な大きさは認識することができない。  
例えばトンネル内で道路上の落下物が新聞紙のような薄い物であれば、事故の発生する危険度は高くないが、落下物が段ボール箱のような立体的なものであれば、事故の発生する危険度は高い。また、撮影された対象物の実際の大きさ及びその立体形状が不明なため、物の認識、例えば人の認識、の精度も低い。
【０００６】
また、例えばトンネルの場合、法令等により所定の長さ以上のトンネルにしか監視カメラの設置義務がなく、かつ監視カメラの設置コストが高いため、監視カメラの設置がされていないトンネルが多く、さらに監視カメラが設置されているトンネルでも、カメラの設置台数は少ない。
【０００７】
さらに、複数の監視カメラからの画像情報は、監視室の装置に集中的に集められて画像処理が行われるため、車両毎の状況、例えば各車両の走行状況、を分析するには、その画像処理を行う装置の負荷が大きくなってしまう。
【０００８】
また、トンネル内で事故等により火災が発生した場合には煙により視界が遮られ、通常のカメラでは、撮像画像から状況を判断することは困難となる。つまり、火災発生時には、カメラからの映像が役に立たず、火災の状況、火災位置を特定することはできない。つまり、火災時には、トンネル内の事故位置が分からず、適正及び迅速な対応を行うことができない。
【０００９】
また、火災時の煙により、カメラからの映像では、事故により車両から脱出した人間が、どこに避難しているのか、車両から離れた位置で人が倒れていないか等を把握することはできず、警察及び消防関係者による事故処理及び救助活動に支障を来す虞がある。更に、火災時の煙によって、カメラからの映像では、火災車両の数や火災の規模も把握することはできないことから、警察及び消防関係者が現場に到着後に、その規模に応じた応援・救援指示を行う必要があり、迅速な事故処理及び救出活動が行えていないという問題があった。
【００１０】
そこで、本発明は、設置が容易で、火災時においても、火災の位置及びその周囲の状況を正確に認識することができる通行車両監視システム及び車両用監視カメラを提供することを目的とする。
【課題を解決するための手段】
【００１１】
本発明に係る通行車両監視システムは、数珠繋ぎに接続され、車両の通行状況を撮像する複数の監視カメラと、その複数の監視カメラに接続されたセンタ装置とからなる通行車両監視システムであって、各監視カメラは、通常撮影用の複数の第１の撮像部と、赤外撮影用の複数の第２の撮像部と、前記第１の撮像部において得られた複数の画像から第１の距離画像のデータを生成すると共に、前記第２の撮像部において得られた複数の画像から第２の距離画像のデータを生成する距離画像生成部と、前記第１の距離画像に基づく第１の監視処理を実行するか又は前記第１及び第２の距離画像に基づく前記第１の監視処理を実行する第１の監視処理部と、記憶部と、前記第１及び第２の距離画像に基づいて認識された車両の識別情報を生成して、その識別情報と、その認識された車両についての時刻情報とを含む情報を前記記憶部に記録する記録処理部と、前記第１及び第２の距離画像に基づいて、前記第１の監視処理とは別の第２の監視処理を実行する第２の監視処理部と、前記第１の距離画像に基づく前記第１の監視処理によって異常が検出されると、前記第１及び第２の距離画像に基づく前記第１の監視処理を実行させ、前記第１の監視処理部が検出した異常の内容に基づいて、前記第２の監視処理部が実行する処理を選択する判定部と、を有する。
【発明の効果】
【００１２】
本発明によれば、設置が容易で、火災時においても、火災の位置及びその周囲の状況を正確に認識することができる通行車両監視システム及び車両用監視カメラを提供することができる。
【図面の簡単な説明】
【００１３】
【図１】本発明の実施の形態に係わる通行車両監視システムの構成を説明するための図である。
【図２】本発明の実施の形態に係わる、トンネル内における監視カメラの設置状況を示す図である。
【図３】本発明の実施の形態に係わる監視カメラの外観図である。
【図４】本発明の実施の形態に係わる監視カメラ２の内部構成を示すブロック図である。
【図５】撮影範囲補正部２２ｒａによる撮影範囲の補正方法を説明するための説明図である。
【図６】撮影範囲補正処理の処理の流れを示すフローチャートである。
【図７】画像合成処理の処理の流れを示すフローチャートである。
【図８】赤外線撮像用として撮像部が１つの例を示す説明図である。
【図９】本発明の実施の形態に係わる基本監視処理の流れの例を示すフローチャートである。
【図１０】本発明の実施の形態に係わるコマンド処理の流れの例を示すフローチャートである。
【図１１】図９及び図１０における異常処理の流れの例を示すフローチャートである。
【図１２】火災発生時における異常処理の流れの例を示すフローチャートである。
【図１３】本発明の実施の形態に係わる、センタ装置４における異常処理の流れの例を示すフローチャートである。
【図１４】本発明の実施の形態に係わる、モニタ６上に表示される監視画面の例を示す図である。
【図１５】図１４の画面の表示処理の流れの例を示すフローチャートである。
【図１６】本発明の実施の形態に係わるログデータのデータ構造を示す図である。
【図１７】本発明の実施の形態に係わる、センタ装置４における車両IDの関連付けを説明するための図である。
【図１８】火災発生時における監視画像の表示例を示す説明図である。
【図１９】火災発生時における監視画像の表示例を示す説明図である。
【図２０】監視画像の表示の変更処理の処理の流れを示すフローチャートである。
【発明を実施するための形態】
【００１４】
以下、図面を参照して本発明の実施の形態を説明する。  
（システム構成）
まず図１に基づき、本実施の形態に係わるシステムの構成を説明する。図１は、本実施の形態に係わる通行車両監視システムの構成を説明するための図である。図２は、トンネル内における監視カメラの設置状況を示す図である。図３は、監視カメラの外観図である。
【００１５】
図１に示すように、トンネル内を監視する交通監視システム１は、それぞれがステレオカメラである複数の監視カメラ２と、隣り合う２台の監視カメラ２を接続する通信ケーブル３と、複数の監視カメラ２の中の１台と通信ケーブル３により接続されたセンタ装置４と、センタ装置４に接続された記憶装置５と、センタ装置４に接続された画像表示装置であるモニタ６とを含んで構成されている。
【００１６】
図１に示すように、トンネル１０１の一端TAに設置される監視カメラ２（１）から他端TBまでの監視カメラ２（ｎ）のｎ台（ｎは整数）の監視カメラ２が、トンネル内の天井側に、略等間隔に配置されている。図１では、各監視カメラ２には、識別番号が付されて示されている。１番目の監視カメラ２（１）からｎ番目の監視カメラ２（ｎ）までが、通信ケーブル３で数珠繋ぎに接続され、監視カメラ２（１）がセンタ装置４に接続されている。なお、以下の説明で、特定の監視カメラを指さない場合は、監視カメラ２と表記する。
【００１７】
通信ケーブル３は、電源供給可能な信号線であり、例えば、電源供給も可能なパワー・オーバ・イーサネット（登録商標）（PoE）対応のケーブルである。センタ装置４は、電源回路を含み、電源回路の電源は、通信ケーブル３を介して各監視カメラ２に供給される。
【００１８】
センタ装置４、記憶装置５及びモニタ６は、例えば、監視室に配置されている。センタ装置４には、記憶装置５とモニタ６が接続されており、センタ装置４は、所定のデータを記憶装置５に記憶し、モニタ６に監視用画面を表示する。よって、監視員は、センタ装置４を操作して、モニタ６に所望の画像を表示させることができる。記憶装置５には、後述する、各種データを記憶する複数の記憶部５ａ，５ｂ，５ｃを含む。
【００１９】
図１に示すように、複数の監視カメラ２が、通信ケーブル３によりデイジーチェーン接続されて、すなわち数珠繋ぎで接続されて、センタ装置４に接続されている。図２に示すように、各監視カメラ２は、トンネル１０１の内壁の天井部分１０２の最も高い位置よりもやや低いところに、トンネル１０１の経路方向に沿って、所定の間隔Ltを持って設置されている。所定の間隔Ltは、隣り合う監視カメラ２の撮影範囲PAが一部重なるように、設定される。所定の間隔Ltは、例えば１０ｍである。
【００２０】
監視カメラ２間の通信及び監視カメラ２とセンタ装置４間の通信は、イーサネット（登録商標）を利用したデータ通信である。各監視カメラ２からのデータは、デイジーチェーン接続のネットワークを介して、センタ装置４へ送信可能である。また、センタ装置４も、全てのあるいは所望の監視カメラ２へ、撮影画像の送信要求のコマンド、等の各種コマンドを送信することができる。従って、センタ装置４は、監視カメラ２からの動画像の画像情報、認識情報、イベント情報等を、センタ装置４からのコマンドに応じて、デイジーチェーン接続のネットワークを介して、取得することができる。  
なお、図１では、センタ装置４が１つのトンネルを監視する例であるが、センタ装置４は、複数のトンネルを監視するようにしてもよい。
【００２１】
図３に示すように、車両用監視カメラである監視カメラ２は、細長い直方体の形状のケーシング１１を有する。監視カメラ２は、通常ステレオ撮影用の１対の撮像部１２ｎと赤外ステレオ撮影用の１対の撮像部１２ｒとを有する。１対の撮像部１２ｎは、細長いケーシング１１の一側面に、所定の距離だけ離れて光軸が互いに平行になるように１対の対物光学系１４ｎが設けられている。また、１つの撮像部１２ｒは、細長いケーシング１１の一側面に、１対の対物光学系１４ｎ近傍に、所定の距離だけ離れて光軸が互いに平行になるように１対の対物光学系１４ｒが設けられている。なお、以下、撮像部１２ｎ，１２ｒを区別する必要がない場合には、単に撮像部１２という。
【００２２】
ケーシング１１内には、各対物光学系１４ｎの結像位置に、CMOSイメージセンサ等の撮像素子３１ｎ（図４参照）が設けられている。また、ケーシング１１内には、各対物光学系１４ｒの結像位置に、赤外線用撮像素子３１ｒが設けられている。撮像素子３１ｒは、熱源を検出することができ、撮影範囲内の熱に応じた画像を取得する。例えば、撮像素子３１ｒは、温度が２０℃以上の熱源を検出することができる。これらの４つの対物光学系１４ｎ，１４ｒの設けられた面が、道路面１０３に対向するように、各監視カメラ２は、天井部分１０２に設置される。
【００２３】
なお、ここでは、各監視カメラ２は、通常のステレオ撮像のために２つの撮像部１２ｎと赤外線ステレオ撮像用の２つの撮像部１２ｒの計４つの撮像部を有している例で説明するが、通常ステレオ撮像用の撮像部としては、３つ以上でもよく、少なくとも２つの撮像部を有していればよい。
【００２４】
また、ケーシング１１の両端面には、通信ケーブル３を接続するためのコネクタ１３が設けられており、複数の監視カメラ２を互いにデイジーチェーン接続することができる。  
上述したように、通信ケーブル３は、イーサネット（登録商標）通信用のケーブルであって、電源供給も可能なイーサネット（登録商標）PoE対応のケーブルであるので、監視カメラ２（１）をセンタ装置４に接続し、隣り合う監視カメラ２同士を、通信ケーブル３で接続するだけでよく、監視カメラ２の設置及び増設は容易である。
【００２５】
監視カメラ２の通常撮影用の１つの撮像部１２ｎは、視野範囲PArを有し、通常撮影用の他方の撮像部１２ｎは、視野範囲PAlを有する。これら２つの視野範囲により、通常撮影における監視カメラ２の撮影範囲PAが決定される。
【００２６】
センタ装置４は、コンピュータ装置であり、CPU（中央処理装置）、ROM、RAMなどを含み、各監視カメラ２からのデータを受信すると共に、各監視カメラ２へ各種コマンドを送信して、情報を取得することができると共に、各種データ処理を実行することができる。
【００２７】
（監視カメラの構成）
図４は、監視カメラ２の内部構成を示すブロック図である。  
監視カメラ２は、４つの撮像部１２ｎ，１２ｒ、撮像部インターフェース部（以下、撮像部I/Fという）２２ｎ，２２ｒ、立体計測部２３、基本監視部２４、追加監視部２５、判定部２６、メモリ２７、画像供給部２８、通信制御部２９、２つの通信インターフェース部（以下、通信I/Fという）３０、及び２つのコネクタ１３を含んで構成されている。
【００２８】
監視カメラ２の一部の機能は、監視カメラ２に搭載された中央処理装置（CPU）によって実行されるソフトウェアプログラムにより、実現される。例えば、立体計測部２３、基本監視部２４、追加監視部２５及び判定部２６は、ソフトウェアプログラムにより実現される。なお、監視カメラ２の一部の機能は、デジタル・シグナル・プロセッサ（DSP）により、実現してもよい。
【００２９】
各撮像部１２ｎは、対物レンズである対物光学系１４ｎと、対物光学系１４ｎの結像位置に配設されたCMOSイメージセンサ等の撮像素子３１ｎを有する。赤外線撮影用の各撮像部１２ｒは、対物レンズである対物光学系１４ｒ（斜線部）と、対物光学系１４ｒの結像位置に配設された赤外線用の撮像素子３１ｒを有する。各撮像素子３１ｎにより撮像して得られた画像データは、撮像部I/F２２ｎを介して、立体計測部２３と画像供給部２８に供給される。各撮像素子３１ｒにより撮像して得られた赤外画像データは、撮像部I/F２２ｒに供給される。なお、以下、撮像素子３１ｎ，３１ｒを区別する必要がない場合には、単に撮像素子３１という。
【００３０】
撮像部I/F２２ｒには、撮影範囲補正部２２ｒａが設けられている。図３に示したように、赤外撮影用の対物光学系１４ｒと対物光学系１４ｎとの配置位置のずれ等によって、１対の撮像部１２ｒは、撮像部１２ｎの撮影範囲PAとは異なる撮影範囲を有する。本実施の形態においては、通常ステレオ撮影用の撮像部３１ｎによる撮像画像と、赤外ステレオ撮影用の撮像部３１ｒによる赤外撮像画像とを合成して表示することを可能にする。この合成表示において同一被写体に対する合成画像中の表示を一致させるために、撮影範囲補正部２２ｒａは、撮影範囲のずれを補正する撮影範囲補正を行う。
【００３１】
（撮影範囲補正処理）
図５は撮影範囲補正部２２ｒａによる撮影範囲の補正方法を説明するための説明図である。図５（ａ）は撮像素子３１ｎ，３１ｒの被写体を示し、図５（ｂ）は撮像結果に基づく誤差テーブルを示している。また、図６は撮影範囲補正処理の処理の流れを示すフローチャートである。
【００３２】
撮像範囲補正部２２ｒａは、補正モードにおいて、撮像素子３１ｎ，３１ｒが撮像した同一の被写体の位置情報に基づいて誤差テーブルを作成し、撮像範囲のずれを補正する補正値を生成する。撮像範囲補正部２２ｒａは、実使用モードにおいて、生成した補正値を用いて撮像範囲のずれを補正するようになっている。補正モードにおいて撮像する同一の被写体として、位置ずれの検出が容易なように、被写体の輪郭が明瞭な被写体、例えば道路面１０３上のセンターライン１０４を選択する。図５（ａ）はセンターライン１０４の撮像結果を示している。撮像素子３１ｎの撮像によって、センターライン１０４の輪郭の四隅の座標値が取得される（S51）。図５の例では、センターライン１０４の右上、左上、右下、左下の各座標値として、（５００，１３５０）、（４９０，１３５０）、（５００，１１２５）、（４９０，１１２５）が取得されたことを示している。
【００３３】
また、このセンターライン１０４の四隅に適宜の発熱部材を配置した状態で、撮像素子３１ｒによりセンターライン１０４を撮像する。撮像素子３１ｒは撮影範囲の熱に応じた画像を得る（S52）。こうして、図５（ｂ）の誤差テーブルが得られる（S53）。図５（ｂ）は撮像素子３１ｒによる発熱部材の撮像位置を示している。撮像素子３１ｒによるセンターライン１０４の右上、左上、右下、左下の各座標値として、（５０５，１３５１）、（４９５，１３５１）、（５０５，１１２６）、（４９５，１１２６）が取得されたことを示している。
【００３４】
撮像範囲補正部２２ｒａは、撮像素子３１ｎ，３１ｒによる撮像によって得られた同一位置の座標値の差から、Ｘ軸方向及びＹ軸方向の補正値を算出する（S54）。図５の例では、Ｘ軸方向の補正値として＋５、Ｙ軸方向の補正値として＋１が得られる。撮像範囲補正部２２ｒａは、この補正値を例えば、撮像部I/F２２に設けられた図示しないメモリに記憶させるようになっている。
【００３５】
各監視カメラ２がトンネル内に設置されると、撮像範囲補正部２２ｒａを補正モードで動作させて、各監視カメラ２毎に撮像範囲補正を行い、補正値を各監視カメラ２に記憶させるようになっている。以後、通常モードにおいて撮像素子３１ｎ，３１ｒによる撮像が行われると、撮像範囲補正部２２ｒａは、撮像素子３１ｒの撮像画像の撮像範囲を補正した後、立体計測部２３と画像供給部２８に出力するようになっている。なお、本実施の形態においては、撮像素子３１ｒの撮像範囲を補正する例を説明するが、撮像範囲３１ｎの撮像範囲を補正するようにしてもよい。
【００３６】
立体計測部２３は、撮像素子３１ｎからの２つの画像データと撮像素子３１ｒからの２つの画像データから、それぞれ距離画像のデータを生成する距離画像生成部である。距離画像のデータは、入力された各２つの画像データから、各画素値が距離値である画像データである。立体計測部２３は、距離画像データを生成する。なお、距離画像は、各画素値が３次元空間内の位置情報でもよい。立体計測部２３は、生成した距離画像の情報を基本監視部２４と追加監視部２５に供給する。
【００３７】
基本監視部２４は、距離画像に基づく、停止物体の検出等の、所定の監視処理を実行する基本監視機能の処理を実行する第１の監視処理部である。  
本実施の形態では、基本監視部２４は、基本監視機能の監視処理部として、停止物体の検出処理部P1と物体の軌跡の検出処理部P2を含む。基本監視部２４は、これらの監視処理部とは別に、計測及び記録処理部P3を含む。なお、本実施の形態では、これら３つの処理部P1,P2,P3を基本監視機能の処理部としているが、基本監視機能の処理は、これらに限定されず、他の処理を基本監視部２４に含めてもよい。
【００３８】
停止物体の検出処理部P1は、ステレオ処理により得られた距離画像から、停止物体を認識して検出する処理を行う。例えば、停止物体の検出処理部P1は、距離画像から認識して得られた物体の位置が、所定の時間以上移動しない状態にあるか否かを判定し、その物体の位置が所定の時間以上移動しない場合に、停止物体ありの異常を、検出する。停止物体は、例えば、停止した車両、道路上の落下物などである。
【００３９】
物体の軌跡の検出処理部P2は、距離画像から物体を認識し、認識して得られた物体に関する、位置の変化（道路平面上の位置の変化）から得られた軌跡が所定の軌跡に合致するかしないか、言い換えれば得られた軌跡が所定の軌跡と不一致であるか否か、を検出する処理を行う。所定の軌跡とは、例えば移動物体の軌跡が略直線状である軌跡である。軌跡は、認識された物体の位置、例えば重心位置、の変化である。物体の進行方向に対する移動量が所定量以上であるような蛇行運転の軌跡は、この所定の軌跡に合致しないという異常として、検出される。
【００４０】
本実施の形態においては、停止物体の検出処理部P1及び物体の軌跡の検出処理部P2は、撮像素子３１ｎからの撮像画像に基づく距離画像を用いるだけでなく、撮像素子３１ｒからの撮像画像に基づく距離画像を用いて検出処理を行う。これにより、火災が発生して煙が充満している場合のように、撮像素子３１ｎでは観察できない火災発生場所の状況等についても、熱の変化を検知する撮像素子３１ｒの撮像画像によって、火災発生場所における停止物体、火災の状況、物体の軌跡等を確認可能である。
【００４１】
計測及び記録処理部P3は、距離画像から物体を認識し、認識して得られた各物体の位置の変化量から各物体の速度（例えば車速）、所定の時間内に撮像領域内を通過した車両の数（すなわちカウント値）、監視領域に入った時刻及び位置、監視領域から出た時刻及び位置、色などの属性データ、等の計測あるいは認識を行う計測処理を行う。
【００４２】
さらに、計測及び記録処理部P3は、認識された通行車両の識別情報を生成して、上述した計測データと、その識別情報を関連付けて、ログデータとして、記憶部であるメモリ２７に記録する記録処理を含む。すなわち、計測及び記録処理部P3は、距離画像に基づいて認識された通行車両の識別情報を生成して、その識別情報と、その認識された通行車両についての時刻情報等とをメモリ２７に記録する記録処理部を構成する。ここでは、ログデータは、基本監視部２４から判定部２６を介してメモリ２７に記憶される。なお、ログデータの記録は、基本監視部２４がメモリ２７に直接書き込むようにしてもよい。  
追加監視部２５は、基本監視部２４の監視処理とは別の追加監視機能の処理を実行する第２の監視処理部である。具体的には、追加監視部２５は、異常の内容に応じた異常処理、センタ装置４からのコマンドに応じたコマンド対応処理、等の処理を行うための、複数の追加処理部Q1,Q2,Q3,・・・Qmを含む（ｍは整数）。なお、図４において、追加処理部Q1,Q2が異常有りの判定時に実行すべき処理部であり、追加処理部Q3〜Qmがコマンド対応処理のための処理部である。
【００４３】
異常処理は、基本監視部２４において検出された異常の内容に応じて、判定部２６により選択されて実行される処理である。基本監視部２４において異常が検出されたときに実行される追加処理部が、異常時の処理部として、追加監視部２５に含まれる。
【００４４】
例えば、停止物体の検出に対応する追加処理部Q1は、静止画データに基づいて、停止物体が車両であるのか、人であるのかを判定して、車両の場合は、破損状況、停止位置、向き（すなわち道路の走行方向に対して平行な方向を向いているのか、斜め方向を向いているのか）、大きさ、車両の台数、等々の検出をし、人の場合は、その位置、姿勢（横になっているのか（倒れているのか）、道路上に立っているのか、等）、人数、等々の検出をする処理部である。停止物体の大きさは、距離画像データから算出あるいは推定することができ、さらに、形状の情報から、停止物体が人であるか否かの判定をすることができる。
【００４５】
また、物体の軌跡が所定の軌跡に合致しない場合に対応する追加処理部Q2は、後述するRAM２８ａの動画データ（すなわち複数のフレームデータ）又はメモリ２７に格納されたログデータに基づいて、車線変更であるのか、減速であるのか、物体の分離であるのか、を判定する。車線変更は、車両の避走、蛇行、回転（スピン）、接触（壁面への接触、車両同士の接触）、等を検出することによって、判定することができる。減速は、ログデータに基づいて判定することができる。
【００４６】
さらに、物体の軌跡から、車両から分離した物の有無を検出することができる。よって、分離の検出と、落下物の大きさ及び落下物が人であるか否かの判定とをすることができるので、車両から荷物が落下したのか、二輪車が転倒して人が投げ出されているのか、車両から降りた人の移動方向、等の検出をすることができる。  
追加処理部Q2は、撮像素子３１ｒからの画像データに基づく処理によって、車両から分離したものが人であるか否かを検出し、人物の軌跡の情報を取得することも可能である。追加処理部Q2は、撮像素子３１ｒからの画像データを用いて処理を行うことで、火災等によって撮像素子３１ｎでは観察できない火災発生場所における車両や人物の様子について、確実な観察を可能にすることができる。しかも、２つの撮像素子３１ｒを用いた赤外ステレオ撮影を行うことで、正確な座標、位置、大きさを確実に特定することができる。
【００４７】
以上のように、追加監視部２５は、基本監視部２４の処理結果に基づいて、実行可能に構成されている。
【００４８】
また、追加監視部２５中のコマンド対応処理とは、ログデータ送信コマンド、人検出コマンド、画像送信コマンド、等のセンタ装置４からのコマンドに応じて、判定部２６等により指定されて実行される処理である。コマンドに応じて実行される追加処理部が、追加監視部２５に含まれる。センタ装置４からのコマンドは、通信制御部２９を介して、判定部２６および画像供給部２８に供給される。追加監視部２５は、コマンドに基づいて、距離画像に基づく監視処理を実行する。
【００４９】
例えば、ログデータ送信コマンドに対応するログデータ送信処理Q3は、センタ装置４からのコマンドがログデータの送信を指示するコマンドである場合に、コマンドで指定された、メモリ２７に格納されているログデータを読み出して送信する処理である。人検出コマンドに対応する人検出処理Q4は、センタ装置４からのコマンドが人の検出を指示するコマンドである場合に同様に実行され、撮像画像の中から人を検出して、検出結果をセンタ装置４へ送信する処理である。監視カメラ２の画像データは、距離データであるので、人を正確に検出することができる。
【００５０】
画像送信コマンドに対応する画像送信処理Q5は、センタ装置４からのコマンドが画像データの送信を指示するコマンドである場合に通信制御部２９が画像供給部２８から画像データを読み出して、監視カメラ２で撮像して得られた画像データを送信する処理である。センタ装置４からのコマンドには複数の種類があり、また一つのコマンドが複数の追加処理を実行させるようなコマンドも有るので、追加監視部２５は、そのコマンドに対応する処理を実行するに必要な数の処理部を含む。  
なお、センタ装置４からのコマンドには、全ての監視カメラ２に対するグローバルコマンドと、特定の監視カメラ２に対するコマンドの２種類がある。  
以上のように、追加監視部２５は、基本監視部２４の処理結果に基づいて、実行可能であると共に、センタ装置４からのコマンドに応じて実行可能に構成されている。
【００５１】
判定部２６は、基本監視部２４及び追加監視部２５からの検出結果あるいは判定結果に基づいて、ルールベースの判定処理を行うと共に、必要な追加監視部２５に含まれる複数の処理部の中から実行すべき処理部を、そのルールに従って選択して実行させる処理を行う。さらに判定部２６は、センタ装置４からのコマンドの内容に応じて、追加監視部２５の中の複数の追加処理部の中から、実行すべき処理部を選択して実行させる処理部を行う。
【００５２】
具体的には、基本監視部２４により異常が検出された場合、判定部２６は、後述するような、追加解析処理、異常対応処理の実施指示処理、通報処理、及び画像送信処理を実行する。さらに、判定部２６は、センタ装置４からコマンドを受信すると、コマンドの内容を解析し、そのコマンドに対応する処理を、追加監視部２５内の対応する追加処理部を実行する。
【００５３】
また、判定部２６の処理内容は、ルールベースで定められるので、判定部２６は、ルールによる判定のための基準データ及び判断ルールを含む。その基準データと判断ルールは、判定部２６のプログラム中に記述されてもよいし、メモリ２７内に記憶されていてもよい。基準データ及び判断ルールを変更することによって、判定部２６が実行を指示する、基本監視部２４及び追加監視部２５内の処理内容を変更することができる。さらに、判定部２６は、メモリ２７に格納されたログデータを用いて、判定を行うことも可能である。判定部２６の異常処理とコマンド処理の詳細については、後述する。
【００５４】
メモリ２７は、上述したログデータを記憶する記憶部である。メモリ２７に格納されるログデータの構造については後述する。
【００５５】
画像供給部２８は、４つの撮像部１２により撮像して得られた画像データのうち、最新の複数フレームの画像データを格納可能なRAM２８ａを有している。画像供給部２８のRAM２８ａに格納された１以上の画像データは、判定部２６により読み出し可能である。後述するように、RAM２８ａに格納された１以上の画像データは、センタ装置４からのコマンドに応じて、あるいは判定部２６からの指示に応じて、センタ装置４へ送信される。
【００５６】
本実施の形態においては、異常処理においては、撮像素子３１ｎからの画像を用いた処理だけでなく、撮像素子３１ｒからの画像を用いた処理を行うとともに、撮像素子３１ｎ，３１ｒからの画像を合成して出力することができるようになっている。
【００５７】
図７は画像合成処理の処理の流れを示すフローチャートである。
【００５８】
画像供給部２８には撮像素子３１ｎからの画像が供給される（S61）。火災発生等の異常処理時と判定されると（S62）、撮像素子３１ｒからの撮像画像は撮像部I/F２２ｒに供給され（S63）、撮影範囲補正部２２ｒａによって撮影範囲が補正される。補正後の撮像画像は画像供給部２８に供給され、画像供給部２８は、撮像素子３１ｎ，３１ｒによる撮像画像を合成して合成画像を得る（S65）。画像供給部２８は、この合成画像をRAM２８ａに格納する。
【００５９】
通信制御部２９は、デイジーチェーン接続された通信ケーブル３を介して、センタ装置４及び他の監視カメラ２との通信を行うための制御部である。特に、通信制御部２９は、センタ装置４からのコマンドを受信するコマンド受信部を構成する。なお、本実施の形態では、センタ装置４からの画像データの送信コマンドを受信すると、通信制御部２９が画像供給部２８から画像データを読み出して、センタ装置４へ送信しているが、判定部２６がコマンドを解釈して、RAM２８ａから画像データを読み出して、センタ装置４へ送信するようにしてもよい。  
２つの通信I/F３０は、通信制御部２９とコネクタ１３との間のインターフェースである。
【００６０】
なお、上記説明では、監視カメラ２として赤外線撮影用として２つの撮像部を有する例を説明したが、赤外線撮像用の撮像部としては、１つ以上であればよい。図８は赤外線撮像用として撮像部が１つの例を示す説明図である。図８に示すように、撮像部１２ｎを構成する１対の対物光学系１４ｎの略中間の位置に、撮像部１５ｒを構成する対物光学系１６ｒ（斜線部）が配設されている。ケーシング１１内には、対物光学系１６ｒの結像位置に、図示しない赤外線用撮像素子が設けられている。赤外線用の撮像部が１つの場合でも、ステレオカメラに比べて検出精度が劣るものの、上記各処理を同様に実施可能であることは明らかである。
【００６１】
（監視カメラにおける基本監視処理）
次に、基本監視処理について説明する。  
図９は、基本監視処理の流れの例を示すフローチャートである。本実施の形態では、上述したように、基本監視部２４の処理は、CPUによって実行されるプログラムの一部の機能として実行される。
【００６２】
立体計測部２３から距離画像データが取得される（S1）。距離画像データに基づいて、基本監視部２４における、停止物体の検出処理部P1と、物体の軌跡の検出処理部P2とが、基本監視処理として実行される（S2）。
【００６３】
停止物体の検出処理部P1は、背景以外の物体の認識を行い、フレーム間での物体の位置に変化があるか否かに基づいて、停止物体の検出を行う。立体形状の大きさが所定の大きさ以上の物体が、停止物体の検出対象として選択される。距離画像データに基づいて停止物体の検出を行っているので、物体の体積が検出でき、検出すべき停止物体を精度良く認識し、検出することができる。
【００６４】
物体の軌跡の検出処理部P2は、認識された物体の軌跡を、フレーム間の物体の位置情報から検出し、その軌跡が所定の軌跡に合致するかしないかを検出あるいは判定する。
【００６５】
この軌跡の検出も、距離画像データに基づいて行っているので、物体の軌跡を精度良く検出して判定することができる。    
次に、ログデータ記録処理が実行される（S3）。この処理は、上述した計測及び記録処理部P3により実行される。
【００６６】
そして、判定部２６は、上記の停止物体の検出処理部P1と物体の軌跡の検出処理部P2のいずれかで、異常が検出されたか否かを判定し（S4）、異常が無ければ（S4:NO）、処理は終了し、異常が有れば（S4:YES）、異常処理を実行する（S5）。  
なお、図９の処理は、監視カメラ２が動作中は、常に繰り返し実行されている。
【００６７】
（監視カメラにおけるコマンド処理）
次に、コマンド処理について説明する。図１０は、コマンド処理の流れの例を示すフローチャートである。  
監視カメラ２は、センタ装置４からのコマンドを受信したか否かを判定する（S11）。コマンドは、通信制御部２９を介して、判定部２６により受信される。コマンドを受信しないときは（S11:NO）、処理は、終了し、コマンドを受信したときは（S11:YES）、受信したコマンドを解析する、すなわちコマンドの内容を判定する（S12）。
【００６８】
判定部２６は、コマンドに対応する処理部を、追加監視部２５の中から選択して、その処理を実行する（S13）。例えば、コマンドがログデータの送信要求コマンドであれば、判定部２６は、追加監視部２５の中からそのコマンドに対応する処理部Q3を選択して、メモリ２７から指定されたログデータを読み出して、センタ装置４へ送信する。コマンドが、人の検出処理を行う人検出コマンドであれば、追加監視部２５の中からそのコマンドに対応する処理部Q4を選択して、画像データから人を検出する処理が実行される。
【００６９】
コマンドに対応する処理の結果、何らかの異常が検出されたか否かが判定され（S14）、人が検出された等の異常が無ければ（S14:NO）、異常が無かった旨の情報を送信したり、要求された情報を送信する、等の、センタ装置４への回答処理を実行して（S16）、処理は終了し、異常が有れば（S14:YES）、異常処理を実行する（S16）。
【００７０】
（監視カメラにおける異常処理）
次に、異常処理について説明する。図１１は、図９及び図１０における異常処理の流れの例を示すフローチャートである。また、図１２は火災発生時における異常処理の流れの例を示すフローチャートである。
【００７１】
基本監視処理あるいは追加監視処理において検出された異常の内容に応じて実行すべき処理の内容が、ルールベースで予め設定されている。判定部２６は、その予め決められたルールベースの内容に従って、図１１に示す処理を実行する。  
判定部２６は、異常が検出されると、ルールベースを参照して、処理内容を決定する（S21）。
【００７２】
そして、判定部２６は、その決定された処理内容に従って、異常対応処理の実施指示処理（S22）、追加解析処理（S23）、通報処理（S24）及び画像送信処理（S26）を実行する。これらの４つの処理は、互いに並列に実行され、それぞれ処理内容決定処理（S21）で決定された内容を実行する。処理の内容がルールベースで予め設定されているので、異常の内容によっては、処理内容決定処理（S21）において、４つの処理全てを実行しないように、決定される場合もある。
【００７３】
例えば、火災が発生した場合には、判定部２６は、撮像素子３１ｎが取得した（S71）撮像画像に基づく距離画像によって、火災が発生したことを検出することができる（S72）。この場合には、判定部２６は、さらに、赤外画像を撮像する撮像素子３１ｒからの画像を取得する（S73）。判定部２６は、火災が発生したことを、識別番号とともに通信制御部２９を介してセンタ装置４に送信する（S74）。これにより、センタ装置４は火災発生場所を特定することが可能である。
【００７４】
判定部２６は、車両から分離した物体を検出し（S75）、分離した物体の軌跡を記録する（S76）。車両から分離した物体の検出処理及び分離した物体の軌跡の記録処理においては、赤外ステレオ画像が用いられることから、煙等によって通常画像による分析が困難な場合でも、確実に分離した物体の検出及び軌跡の記録が可能である。
【００７５】
判定部２６は、記録した軌跡の座標を画像供給部２８に与えて、合成画像上に軌跡の表示を合成させる（S77）。
【００７６】
異常対応処理の実施指示処理（S22）は、センタ装置４を介さずに、監視カメラ２から他の設備、例えばトンネル内に設置された放送設備、トンネルの出入り口に設置された情報表示パネル、に直接、動作する指示を与える処理である。他の設備が、通信ケーブル３で形成されるイーサネット（登録商標）の通信上に接続されている場合に、監視カメラ２は、他の設備と通信をすることができる。
【００７７】
例えば、通信ケーブル３と同じイーサネット（登録商標）に接続されている通信可能な設備として、放送設備と情報表示パネルがあれば、異常対応処理の実施指示処理（S22）は、その放送設備等の制御装置に対する所定の音声出力の指示コマンドの送信、等の処理である。
【００７８】
図１において、設備の制御装置４１が、イーサネット（登録商標）に接続されていて、監視カメラ２からのコマンドを受信可能となっている。この場合、ある監視カメラ２（ｋ）が、異常対応処理の実施指示処理（S22）に従って、その制御装置４１へ所定のコマンドを送信すると、その設備は、そのコマンドに指定された動作を実行する。よって、監視カメラ２から直接設備に対して、所望の動作指示をすることができるので、異常時の対応を迅速に行うことができる。
【００７９】
また、異常対応処理の実施指示処理（S22）は、他の監視カメラ２へのコマンド送信も含まれる。例えば、避走車両の検出がされた場合に、その車両の進行方向にある他の監視カメラ２（隣の監視カメラあるいは、数台先の監視カメラ）へ、避走車両の速度と軌跡データをセンタ装置４へ送信させるような処理を実行させるコマンドを、送信する。これにより、センタ装置４は、検出された避走車両の走行状態を、迅速に監視することができる。
【００８０】
また、例えば、火災発生時において、火災発生場所を監視する監視カメラ２からのコマンド送信によって、火災発生場所近傍の他の監視カメラ２に、図１２と同様の異常時の処理を実行させることも可能である。
【００８１】
以上のように、異常対応処理の実施指示処理（S22）は、基本監視部の処理結果が所定の異常が有りの判定である場合、発生した所定の異常の種類に応じて、所定の設備の所定の動作の指示あるいは他の監視カメラ２に所定の処理の実行を指示するコマンドを、所定の設備あるいは他の監視カメラ２に送信する実行コマンド送信処理部を構成する。
【００８２】
追加解析処理（S23）は、上述した追加監視部２５内の追加処理部の処理である。よって、異常の内容に応じた追加解析を行うことができる。  
また、通報処理（S24）は、検出された異常の内容に応じた所定のデータ、メッセージ等の所定の情報を、センタ装置４へ送信する処理である。例えば、判定部２６が、異常の内容から危険度レベルを判定する処理を実行した場合は、その危険度レベルの情報も、センタ装置４へ送信される。
【００８３】
画像生成処理（S25）は、撮像素子３１ｎ，３１ｒからの撮像画像を合成するものである。この処理では、撮像部I/F２２ｒの撮影範囲補正部２２ｒａは、図示しないメモリから補正値（図５参照）を読み出し、撮像素子３１ｒからの撮像画像の撮影範囲を補正した後、画像供給部２８に出力する。画像供給部２８は、撮像素子３１ｎからの撮像画像と撮影範囲が補正された撮像素子３１ｒからの撮像画像とを合成した後、RAM２８ａに供給する。
【００８４】
画像送信処理（S26）は、異常を検出した監視カメラ２が、所定の画像データを、画像供給部２８から読み出して、センタ装置４へ送信する処理である。  
追加解析処理（S23）の実行後、所定の判定処理が実行される（S27）。
【００８５】
上述したように、S22からS27の処理の内容は、ルールベースで定められたものであり、異常の内容に応じて異なっている。これらの処理が実行されると、検出された異常が終結したか否かが判定される（S28）。
【００８６】
異常が終結していない場合は（S28:NO）、処理は、S21に戻り、異常が終結した場合は（S28:YES）、終結処理が実行されて（S29）、処理は、終了する。
【００８７】
例えば、基本監視部２４の停止物体の検出処理部P1により停止物体の有りの異常が検出された場合、判定部２６は、その停止物体の検出に対応する予め決められた追加処理部Q1を、追加解析処理（S23）として実行する。同時に、判定部２６は、異常対応処理の実行指示処理（S22）において、情報表示パネルの制御装置に対して、「トンネル中、停止車両有り」等のメッセージを表示するように、コマンドを送信する。さらに、判定部２６は、通報処理（S24）において、センタ装置４へ停止車両の検出がされたことのメッセージを送信する。さらに、判定部２６は、画像生成処理（S25）において通常撮像画像と赤外撮像画像とを合成し、画像送信処理（S26）において、その停止物体及びその周囲の画像データをセンタ装置４へ送信する。
【００８８】
判定処理（S27）は、追加解析処理（S23）の処理結果に基づく処理であり、追加処理部Q1の処理結果に応じた処理を実行する。よって、例えば、追加処理部Q1により、人が検出された場合には、判定部２６は、人が検出されたことの異常を検出する。
【００８９】
異常が終結していない場合には、処理は、処理内容決定処理（S21）に戻る。そして、判定部２６は、再度、追加解析処理により検出された異常も加えて、処理内容を決定し、S22からS26の処理を実行する。
【００９０】
例えば、追加処理部Q1において、人が検出されたときには、異常対応処理の実行指示処理（S22）において、放送設備の制御装置に対して、「他の車両に注意して下さい。」等の音声メッセージをトンネル内に放送するように、コマンドを送信する。
【００９１】
別の例として、基本監視部２４の物体の軌跡の検出処理部P2により物体の軌跡が所定の軌跡ではないと判定された場合、判定部２６は、物体の軌跡が所定の軌跡に合致しない場合に対応する追加処理部Q2を、追加解析処理として実行し、その追加処理部Q2の結果に基づく判定処理（S27）を実行する。例えば、軌跡の検出処理部P2により人物の軌跡が検出された場合には、判定部２６は、この軌跡の情報を蓄積するとともに画像供給部２８に出力し、画像供給部２８において合成画像上に人物等の軌跡の表示を合成させる。
【００９２】
終結処理（S29）は、異常状態が検出されなくなったので、センタ装置４への異常状態の終了したことのメッセージ等の送信処理、他の設備へ送信したコマンドに基づく動作の終了指示のコマンドの送信処理、等が実行される。
【００９３】
以上のように、監視カメラ２は、基本監視部２４と追加監視部２５を有して、通常は、基本監視部２４の処理を実行し、基本監視部２４において異常が検出された場合、あるいはセンタ装置４からコマンドを受信した場合は、予めルールベースで設定された処理部を実行する。
【００９４】
（センタ装置における異常処理）
監視室の監視員は、モニタ６に表示される情報、画像などを見ながら、トンネル内の交通状況を監視する。監視員は、上述したように特定の監視カメラ２を指定して所望の処理を実行させて、その監視カメラ２を制御することができる。そして、センタ装置４は、複数の監視カメラ２からの各種情報を受信して、異常が検出された場合には、所定の処理を実行する。
【００９５】
図１３は、センタ装置４における異常処理の流れの例を示すフローチャートである。図１３の処理は、センタ装置４のCPUによって実行される。  
センタ装置４は、個別カメラからの情報を入手し（S31）、所定の基準に基づいて、状況を判定し、その判定結果に応じた処理内容を決定する（S32）。
【００９６】
その状況を判定するために所定の基準データは、記憶装置５の基準データ記憶部５ａに記憶されている。また、判定された状況に応じて実行すべき処理内容のデータも、記憶装置５内の処理内容データ記憶部５ｂに記憶されている。
【００９７】
センタ装置４のCPUは、S32における状況判定の結果、異常ありと判定されたか否かを判定し（S33）、異常がなければ（S33:NO）、処理は、S31に戻る。異常があれば（S33:YES）、センタ装置４は、異常対応処理の実行指示処理（S34）、警告画面表示処理（S35）及び操作入力確認処理（S36）を実行する。これらの３つの処理は、互いに並列に実行され、それぞれS32において決定された内容を実行する。
【００９８】
異常対応処理の実行指示処理（S34）は、例えば、センタ装置４に接続された設備、例えばトンネルの出入り口に設置された情報表示パネル、に対する指示を与える処理、特定の監視カメラ２へのコマンド指示送信処理、等である。
【００９９】
例えば、基本監視部２４の物体の軌跡の検出処理部P2により物体の軌跡が所定の軌跡ではないと判定された場合にその情報を入手すると、情報表示パネルに「走行注意」等の所定のメッセージを表示させるためのコマンドが、情報表示パネルに送信される。その結果、他の車両のドライバは、より注意した運転を心掛けることができる。そのようなコマンドの送信は、予め自動的に行われる設定になっている場合には、監視員は、特に、情報表示パネルへの指示操作をしなくてよい。その設定内容は、処理内容データ記憶部５ｂに記憶される。
【０１００】
異常対応処理の実行指示処理（S34）により、センタ装置４は、例えば、他の特定の監視カメラ２に対して、画像データを送信させるためのコマンドを送信するようにすることもできる。その結果、例えば、所定の軌跡に合致しない走行をしている車両がその後通過すると想定される場所の画像をモニタ６に表示させることができ、監視員は、その車両がその監視カメラ２の前を通過するのを待ち伏せして、通過したときの走行状況を見て確認することができる。  
以上のようにして、異常対応処理の実行指示処理（S34）の処理によって、異常時における所定の処理の自動化を実現することができる。
【０１０１】
警告画面表示処理（S35）は、図１４に示すようなモニタ６の画面上に、所定のメッセージを表示する処理である。この警告画面表示処理（S35）によって、例えば、ある異常が発生したときは、「・・を操作して下さい。」等の対応操作方法を示すすなわちアドバイスするメッセージが表示される。そのメッセージ表示を見て、監視員に所定の操作をさせることができる。発生した異常に応じて、どのようなメッセージを、どのような順番で表示するかは、処理内容データ記憶部５ｂに予め記憶されている。
【０１０２】
また、操作入力確認処理（S36）は、警告画面表示処理（S35）によって指示された操作が、適切に行われたか否かを確認する処理である。例えば、所定の順番で操作させるべき操作が、所定の順番で正しく行われているか否かが判定され、操作内容及び順番が適切でないときには、操作入力確認処理（S36）は、操作すべき内容をモニタ６上に表示する。
【０１０３】
すなわち、センタ装置４は、いずれかの監視カメラ２の判定部２６から所定の異常の通知を受けると、所定の操作内容を示すメッセージを表示装置に表示する表示処理と、所定の操作内容の操作入力を監視して所定の操作内容が入力されているかを確認する操作入力確認処理を実行する。
【０１０４】
S34〜S36の処理の結果、総合判定が行われる（S37）。異常発生後のデータすなわち経緯データは、記憶装置５に記録される。総合判定の基準も、記憶装置５の基準データ記憶部５ａに記憶されている。総合判定処理（S37）は、異常が発生してからの経緯に基づいて、所定の処理が実行されて、異常の発生もなくなり、異常が終結したか否かが判定される。
【０１０５】
総合判定処理（S37）の後、異常が終結したか否かが判定され、異常が終結していなければ（S38:NO）、処理は、S31に戻り、異常が終結していれば（S38:YES）、終結処理を実行して（S39）、処理は終了する。
【０１０６】
よって、センタ装置４は、各監視カメラ２からの情報に基づいて、異常の判定を行い、その異常に応じた処理を実行すると共に、所定のメッセージ等をモニタ６の画面上に表示し、かつ異常に対応する所定の操作が正しく行われたか否かの確認を行う。よって、異常発生時に、監視員がその異常の内容を確認して、必要な設備に対する処理の全てを行う必要もなく、かつ操作内容がガイダンスとして表示されるので、迅速な対応も可能となり、さらに操作ミスも防止することができる。
【０１０７】
（監視画面）
図１４は、モニタ６上に表示される監視画面の例を示す図である。モニタ６の画面５１内には、監視対象トンネルの模式図を表示する表示部５２と、トンネルの各出入り口の入車台数と出車台数の表示部５３と、監視画像の表示部５４と、トンネル内に存在する車両の台数を表示する表示部５５とを含む。
【０１０８】
表示部５２は、トンネルの模式図の各出入り口の近傍には、行き先を示す、「・・方面」という文字が併せて表示されている。  
表示部５３は、トンネルの模式図の各出入り口の近傍に配置され、入車台数と出車台数をリアルタイムで表示する。台数は、例えば、日付の始まる午前零時からの累積台数などである。
【０１０９】
表示部５４は、複数の監視カメラ２の中から選択された特定の監視カメラ２から撮影画像を取得して、表示している。上述したように、監視員がセンタ装置４を操作して、監視したい場所の監視カメラ２を選択して、その監視カメラ２に画像送信コマンドを送信することによって、表示部５４にその監視カメラ２の画像を表示させることもできる。
【０１１０】
表示部５５は、そのときにトンネル内に存在する車両の数を、リアルタイムで表示する。例えば、監視カメラ２（１）と２（ｎ）から、上りと下りの各車線のそれぞれについて、認識した車両であってトンネルに入った車両と出た車両の数の情報を常に送信させ、上りと下りのそれぞれについて入った車両から出た車両の差分を計算することによって、センタ装置４は、トンネル内に存在する車両の数を、表示することができる。
【０１１１】
図１４の画面は、常にモニタ６に表示され、上述したアドバイスメッセージ等の表示は、図１４の画面上に例えば、ポップアップウインドウにより行われる。
【０１１２】
図１５は、図１４の画面の表示処理の流れの例を示すフローチャートである。センタ装置４は、特定の監視カメラ２、例えば監視カメラ２（１）と２（ｎ）、から、入った車両と出た車両の数の情報を取得し、所定演算を実行する（S41）。所定演算とは、上述した表示部５３と５５の台数を表示するための演算である。
【０１１３】
そして、センタ装置４は、特定の監視カメラ２からの画像データを取得し（S42）、S41とS42で得た情報に基づき、図１４の画面データを更新する（S43）。その結果、モニタ６に表示される画面５１の内容は、リアルタイムの表示となる。
【０１１４】
（ログデータ）
各監視カメラ２のメモリ２７には、上述したようにログデータが格納される。計測及び記録処理部P3は、立体計測部２３において得られた距離画像に基づいて、認識して得られた各物体について、識別子を付与し、その物体について、図１６に示す各データを取得或いは計算して得て、メモリ２７に記憶する。  
メモリ２７の容量は、制限があるので、新しいデータが記録されるときは、最も古いデータが消去される。メモリ２７には、例えば、過去、数十時間のデータが記憶される。
【０１１５】
図１６は、ログデータのデータ構造を示す図である。図１６のログデータは、監視カメラ２の上りと下り毎に生成されて記憶されるデータである。  
図１６は、監視カメラ２の識別番号（図１６では、監視カメラ２（ｋ）として示されている）の上りの車線のログデータを示す。ログデータ６１は、上りと下り別に、カメラ識別番号（カメラ＃（上り））、車両ID、時刻（入）、時刻（出）、物体の複数の属性、速度、監視領域内に入ったときの位置（入）、監視領域内から出たときの位置（出）、監視領域内の軌跡、等のデータを含む。
【０１１６】
車両IDは、監視カメラ２毎に付与されるので、所謂ローカルIDである。時刻（入）と時刻（出）は、それぞれ、認識された物体が監視領域内に入った及び出た時刻であり、ミリ秒単位の時刻データである。属性は、例えば、認識された物体の色、体積、高さ、形状などのデータである。体積、高さ、形状などは、距離画像データに基づいて算出される。速度は、監視領域内を走行する物体の位置の変化から演算により算出されるデータである。
【０１１７】
位置（入）と位置（出）は、それぞれ、監視領域内の位置であり、例えば、監視領域のXY平面上において、物体が監視領域に入ったときの位置と監視領域から出て行ったときの位置のデータである。軌跡は、監視領域のXY平面上における、認識された物体の位置、例えば先頭位置、重心位置等、の変化を示す軌跡データである。  
図１６に示すデータ以外のデータもログデータとしてメモリ２７に記憶してもよい。
【０１１８】
上述したように、メモリ２７のログデータ６１は、車両毎に生成されるが、ローカルIDのデータである。センタ装置４は、全てのあるいは一部の監視カメラ２からログデータを収集することができる。
【０１１９】
センタ装置４は、各監視カメラ２から収集したログデータ中の時刻（入）、時刻（出）、位置（入）及び位置（出）のデータを用いて、各監視カメラ２からの複数の車両IDを、互いに関連付ける処理を行うことができる。
【０１２０】
図１７は、センタ装置４における車両IDの関連付けを説明するための図である。図１７では、連続する監視カメラ２（ｋ）から２（ｋ＋４）のそれぞれの撮影範囲が、PA(k)〜PA(k+4)として示されている。上述したように、隣り合う監視カメラ２の撮影範囲PA（点線で示す）は、重なっている。
【０１２１】
撮影範囲PA内には、ログデータ中、時刻（入）、時刻（出）、位置（入）及び位置（出）のデータを取得するための監視領域MRが設定されている。図１７では、撮影範囲PA(k)〜PA(k+4)中に、それぞれ、監視領域MR(k)〜MR(k+4)が設定されている。隣り合う監視カメラ２の監視領域MRは、接するように設定される。この設定は、例えば、トンネル１０１内に監視カメラ２を設置した後に、各監視カメラ２からの撮影画像に基づいて、行われる。よって、隣り合う監視カメラ２の２つの監視領域MRが接して線（以下、境界線という）TL上の位置は、２つの監視領域MR間で関連付けることができる。
【０１２２】
そして、センタ装置４は、隣り合う監視カメラ２同士の境界線TL上の位置の関連情報を、記憶装置５に予め記憶しておく。その位置の関連情報は、記憶装置５の関連情報記憶部５ｃに記憶される。関連情報は、例えば、境界線TL上における、２つの監視領域MRの位置の変換式であり、全ての境界線TLについて生成されて、関連情報記憶部５ｃに記憶される。センタ装置４は、位置の関連情報に基づいて、隣り合う２つの監視領域MRの一方から見た境界線TL上の位置と、他方から見た同じ境界線TL上の位置が同じ位置であるかを判定することができる。
【０１２３】
図１７には、上りと下りのそれぞれにおけるある車両の軌跡が、点線で示されている。上りにおける監視領域MR(k)から出た車両の位置P1と、その隣の監視領域MR(k)から出た車両の位置P2は、それぞれの監視カメラ２（ｋ）と２（ｋ＋１）から得られるので、監視カメラ２（ｋ）の記録した時刻（出）と監視カメラ２（ｋ＋１）の記録した時刻（入）が一致し、かつ監視カメラ２（ｋ）の記録した位置（出）と監視カメラ２（ｋ＋１）の記録した位置（入）が一致した場合は、２つの監視カメラ２で別個に生成されたログデータは、同じ車両についてのログデータと決定される。
【０１２４】
そのために、センタ装置４は、複数の監視カメラ２の監視する領域における、監視カメラ同士の位置を関連付ける関連情報を有し、その関連情報に基づいて、複数の監視カメラが生成した車両の識別情報を関連付ける処理を行う関連付け処理部を有する。
【０１２５】
その結果、各監視カメラ２において別個に生成されたローカルIDの車両IDを有する２つのログデータは、同じ車両のものであると判定できるので、一つの車両IDのログデータとして纏めることができる。言い換えると、車両IDをグローバルIDに変換することができる。
【０１２６】
なお、ログデータには、各種属性データが含まれるので、複数のログデータを、同じ車両についてのログデータと決定するときに、属性データを確認用データとして用いるようにしてもよい。
【０１２７】
センタ装置４は、全ての監視カメラ２のログデータを収集してこのような処理を行うことによって、全ての車両についての、トンネルの入口から出口までの道路上の走行状態のデータを生成して得ることができる。そのデータは、各車両のトンネル内の走行履歴データである。
【０１２８】
よって、事故等の何らかのイベントが発生した直後に、センタ装置４が全ての監視カメラ２に対してログデータを送信するログデータ送信コマンドを送信して、全ての監視カメラ２のログデータを収集して、上記のような各車両の走行履歴データを生成する。生成された各車両の走行履歴データは、事故直後の事故に関わる車両の走行状態を示すので、事故の原因を調査する者にとっては、有効な情報となる。
【０１２９】
なお、図１７では、隣り合う監視カメラ２の監視領域MRは、接するように設定されているが、重なって、あるいは完全に接していなくてもよい。重なっている場合は、重なっている領域の位置情報の関連付けを行うことによって、２つのログデータの関連付けを行うことができる。また、隣り合う監視カメラ２の監視領域MRが接していない場合は、その間の距離に応じた時間と位置の推定処理を行うことによって、２つのログデータの関連付けを行うことができる。
【０１３０】
図１８及び図１９は火災発生時における監視画像の表示例を示す説明図である。図２０は監視画像の表示の変更処理の処理の流れを示すフローチャートである。
【０１３１】
センタ装置４においては、各監視カメラ２からの各種情報を受信するとともに、モニタ６の表示画面上に、各監視カメラ２からの画像を表示させることができる。例えば、トンネル内の事故等により停止車両の検出結果がセンタ装置４に送信されるものとする。センタ装置４はこの場合における監視カメラ２からの画像を表示可能である。図１８は火災発生現場における監視カメラ２からの画像を表示したものである。
【０１３２】
図１８の例では、道路面１０３上に４台の車１１が停止している状態がモニタ１６の画面上に映出されていることを示している。図１８では、センターライン１０４をまたぐ車や、進行方向に向かって傾斜した向きに停止した車が表示されている。
【０１３３】
仮に、火災発生現場において視界が良好ならば、撮像素子３１ｎに基づく画像によって、車１１１の近傍に人１１２が倒れている様子等も表示させることができる。さらに、監視カメラ２からの情報に基づいて、人が移動した軌跡１１３についても表示可能である。
【０１３４】
しかしながら、火災発生現場では、煙により視界が不良となることが想定される。そこで、本実施の形態においては、監視カメラ２は、停止車両の有無を判断し（S81）、停止車両が存在する場合には（S82）、撮像素子３１ｎに基づく撮像画像と撮像素子３１ｒに基づく撮像画像とを合成する。
【０１３５】
図１９は監視カメラ２からの合成画像の表示の表示例を示している。撮像素子３１ｒに基づく赤外画像については図１９では斜線部１１５にて示してある。赤外画像を撮像素子３１ｎに基づく通常画像とは異なる色等で表示してもよい。
【０１３６】
図１９の例では、車１１１の位置及び人が倒れている部分に高温の熱源１１５が存在することが分かる。火災現場において視界が不良の場合でも、撮像素子３１ｒによる赤外画像については、図１９の合成表示から確認することができ、火災発生現場における状況をセンター装置４のモニタ１６上において把握することができる。また、赤外線用の撮像素子３１ｒを複数用いて、赤外ステレオ画像を表示するようにした場合には、熱源の様子を立体画像によって確認することができるので、火災現場における状況を正確に把握することが可能となる。これにより、警察及び消防関係者に適切な通報が可能となり、警察及び消防関係者が現場に到着後において、その規模に応じた応援・救援指示を行うことができ、迅速な事故処理及び救出活動が行えるという利点がある。
【０１３７】
以上のように、上述した本実施の形態による通行車両監視システムによれば、道路上の車両等を正確に認識し、設置が容易で、かつ車両毎の走行状態の分析を負荷が集中することなく行うことができる通行車両監視システム及び車両用監視カメラを提供することができる。この場合において、火災が発生して視界が不良となった場合でも、赤外線用の撮像部を用いた処理を行っており、火災発生場所の状況を確実に把握可能である。
【０１３８】
なお、上述した実施の形態は、通行車両監視システム及び車両用監視カメラをトンネルの車両を監視する例であるが、上述した通行車両監視システム及び車両用監視カメラは、トンネル内の車両の監視だけでなく、通常の道路、高速道路等の車両の監視にも適用できるものである。
【０１３９】
また、上記実施の形態においては、通常画像と赤外画像との撮影範囲補正処理、赤外画像の取得を開始する判定処理、通常画像と赤外画像との合成処理を監視カメラにおいて実施する例について説明したが、これらの処理の全部又は一部を、センタ装置において実施するようにしてもよいことは明らかである。
【０１４０】
例えば、センタ装置４において撮影範囲補正処理を行う場合には、各監視カメラ２の撮像部I/F２２ｒの撮影範囲補正部２２ｒａの機能をセンタ装置４に設ければよい。また、例えば、赤外画像の取得を開始する判定処理をセンタ装置４が行う場合には、各監視カメラ２の判定部２６からの停止車両に関する情報に基づいてセンタ装置４において赤外撮影を開始させるコマンドを発生させるようにすればよい。この場合には、センタ装置４は、停止車両を検出した監視カメラだけでなく、その近傍の監視カメラに対して赤外撮影を開始させるためのコマンドを発生させる。また、例えば、センタ装置４において合成処理を行う場合には、各監視カメラ２の画像供給部２８における画像の合成機能をセンタ装置４に設ければよい。
【０１４１】
また、上記実施の形態においては、停止車両によって火災が発生したと判定した場合には、通常画像と赤外画像とを合成するようになっているが、赤外画像のみを表示させるようにしてもよい。
【０１４２】
本発明は、上述した実施の形態に限定されるものではなく、本発明の要旨を変えない範囲において、種々の変更、改変等が可能である。
【符号の説明】
【０１４３】
１  通行車両監視システム、２  監視カメラ、３  通信ケーブル、４  センタ装置、５  記憶装置、５ａ  基準データ記憶部、５ｂ  処理内容データ記憶部、１１  ケーシング、１２ｎ，１２ｒ  対物光学系、１３  コネクタ、２１ｎ，２１ｒ  撮像部、２２ｎ，２２ｒ  撮像I/F、２３  立体計測部、２４  基本監視部、２５  追加監視部、２６  判定部、２７メモリ、２８  画像供給部、２９  通信制御部、３０  通信I/F、３１  撮像素子、４１  設備の制御装置、１０１  トンネル、１０２  天井部分、１０３  道路面、１０４  センターライン
【図１】
0005605178.tif 000002
【図２】
0005605178.tif 000003
【図３】
0005605178.tif 000004
【図４】
0005605178.tif 000005
【図５】
0005605178.tif 000006
【図６】
0005605178.tif 000007
【図７】
0005605178.tif 000008
【図８】
0005605178.tif 000009
【図９】
0005605178.tif 000010
【図１０】
0005605178.tif 000011
【図１１】
0005605178.tif 000012
【図１２】
0005605178.tif 000013
【図１３】
0005605178.tif 000014
【図１４】
0005605178.tif 000015
【図１５】
0005605178.tif 000016
【図１６】
0005605178.tif 000017
【図１７】
0005605178.tif 000018
【図１８】
0005605178.tif 000019
【図１９】
0005605178.tif 000020
【図２０】
0005605178.tif 000021